【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】  茶樹畝を跨ぐ前後の門型フレームで構成される車体本体と、
上記車体本体の左右基端部に連結されて畝間を走行する走行装置と、
上記車体本体の前部或いは後部に着脱可能、かつ揺動可能に取り付けられたアーム部材と、
上記アーム部の自由端側に一体化された支持部に取り付けられている駆動部とこの駆動部により駆動される耕起鍬と、
上記車体本体と上記支持部との間に介設され、伸縮ストロークによって上記支持部の高さ調整を行う伸縮手段と、
上記ロッドと上記支持部との間に張設された展張部材と、を備えたものであって、
上記耕起鍬は、上記支持部が上記伸張手段の伸縮ストロークによって耕起作業の開始高さを規定されるとともに、その高さを上記展張部材によって維持され、耕起時、地面の凸部或いは石により浮き上がるのを上記展張部材の緩みによって許容されることを特徴とする乗用型茶園管理装置。
【手続補正２】
【補正対象書類名】明細書
【補正対象項目名】０００２
【補正方法】変更
【補正の内容】
【０００２】
【従来の技術】
茶園管理作業の一つである浅耕作業においては、畝間に肥料を散布し、散布された肥料を耕起鍬により地表近くで土と混合させるようになっている。
従来、浅耕作業に用いられる装置として、本出願の先願に相当する実公平６−８６４７号公報により提案したものがある。
上記公報には、原動機を搭載し、作業者によるハンドル操作によって操舵が可能な自走型の走行機体を備え、この走行機体の一部に耕起鍬を揺動可能に支持させ、かつ原動機から動力伝達させることにより耕起鍬を地面に向けて往復動させて耕起させる構成が開示されている。
【手続補正３】
【補正対象書類名】明細書
【補正対象項目名】０００３
【補正方法】変更
【補正の内容】
【０００３】
一方、近年では作業者の高年齢化が進行してきており、たとえ、自走型式であっても作業者が走行機体とともに歩行することが必要な作業は敬遠されがちとなってきている。
そこで、このような自走型に代えて、作業者自らが運転台に乗席し、施肥や耕起作業あるいは剪定作業等の茶園管理作業が行える乗用型の管理装置が提案されている（例えば、本願出願人により提案された実開平２−１２０１２０号公報）。
【手続補正４】
【補正対象書類名】明細書
【補正対象項目名】０００４
【補正方法】変更
【補正の内容】
【０００４】
【発明が解決しようとする課題】
しかし、上記公報により提案されている乗用型の茶園管理装置においては、浅耕作業の場合でいうと、耕起鍬は耕起開始位置、換言すれば、地表からの鍬先の間での高さが予め決定され、その高さから耕起深さを調整するようになっている。このため、畝間の両側通路に予期せぬ凹凸があると、耕起鍬が乗り上げるのに連動してその耕起鍬の基部が固定されている走行台車も同じように乗り上げ方向に移動することになる。従って、耕起鍬による耕起深さが畝間両側の通路で一様にならず、肥料と土との混合が均等化されない場合がある。
しかも、凹凸を呈する地面や地表近くには石などが多く散乱していることもある。このような石などに鍬先が当たるとその石からの反動によって走行台車が持ち上がることもあり、鍬先で走行台車の重量が作用することになり耕起鍬が破損してしまうこともある。
【手続補正５】
【補正対象書類名】明細書
【補正対象項目名】０００５
【補正方法】変更
【補正の内容】
【０００５】
本発明の目的は、上記従来の茶園管理装置における問題に鑑み、耕起鍬を用いた浅耕作業、いわゆるカルチ作業を行う場合において地面の凹凸状態に関係なく一定した耕起深さを設定することが可能であり、しかも、鍬の破損を未然に防止することができる構成を備えた茶園管理装置を提供することにある。
【手続補正６】
【補正対象書類名】明細書
【補正対象項目名】０００６
【補正方法】変更
【補正の内容】
【０００６】
【課題を解決するための手段】
この目的を達成するため、請求項１記載の発明は、茶樹畝を跨ぐ前後の門型フレームで構成される車体本体と、上記車体本体の左右基端部に連結されて畝間を走行する走行装置と、上記車体本体の前部或いは後部に着脱可能、かつ揺動可能に取り付けられたアーム部材と、上記アーム部の自由端側に一体化された支持部に取り付けられている駆動部とこの駆動部により駆動される耕起鍬と、上記車体本体と上記支持部との間に介設され、伸縮ストロークによって上記支持部の高さ調整を行う伸縮手段と、上記ロッドと上記支持部との間に張設された展張部材と、を備えたものであって、上記耕起鍬は、上記支持部が上記伸張手段の伸縮ストロークによって耕起作業の開始高さを規定されるとともに、その高さを上記展張部材によって維持され、耕起時、地面の凸部或いは石により浮き上がるのを上記展張部材の緩みによって許容きれることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
【作用】
請求項１記載の発明では、伸縮手段の伸縮ストロークにより規定される高さに耕起鍬が位置決めされた場合、展張部材の緩みによりその高さを変化させることができるので、地面の凸部や石に触れた場合でも耕起鍬のみを上方に移動させて車体本体が浮き上がったりあるいは耕起鍬に車体本体の重量が作用することがなく、これにより耕起鍬の破損を未然に防止することができる。
【手続補正１０】
【補正対象書類名】明細書
【補正対象項目名】００１１
【補正方法】変更
【補正の内容】
【００１１】
【実施例】
以下、図示実施例により本発明の詳細を説明する。
図１乃至図３は、本発明実施例による乗用型茶園管理装置の正面図、側面図および背面図であり、同図において乗用型茶園管理装置１は、車体本体２、走行装置３を備えている。
以下、各部の構成を説明する。
車体本体２は、車体の前後に配設される門型フレーム２１，２２と、該門型フレーム２１，２２に跨って固着される乗車板２３とを備えている。
前記門型フレーム２１，２２は、茶畝を跨ぐように形成され、また、剛性を有する材質で形成されている。
乗車板２３の上面には、運転席２３Ａ、運転操作台２３Ｂおよび原動機を格納したボックス状のカバー２４が設置されており、原動機は、図３に示すように、ベルト２５を介して油圧ポンプ２６を駆動するようになっている。
さらに原動機２４の出力軸には、図２に示すように、カップリング２７を介して後述する走行装置３の油圧モータを駆動するための油圧ポンプ２８が連結されている。なお、図示しないが、乗車板２３の上面には原動機へ燃料を供給する燃料タンクも設置されている。
【手続補正１１】
【補正対象書類名】明細書
【補正対象項目名】００１２
【補正方法】変更
【補正の内容】
【００１２】
走行装置３は、本実施例の場合、従動輪３１および駆動輪３２に掛け回されたゴムクローラ３３を備えており、これら各輪３１，３２およびゴムクローラ３３の上面近傍はガードフレーム３４によって覆われている。なお、図２において符号３５で示すように、テンションローラが設けられている。
走行装置３は、運転操作台２３Ｂに設けられている操作ハンドル２３Ｃによって各ゴムクローラ３３の回転・停止制御が行われることで向きが変わるようになっている。
【手続補正１２】
【補正対象書類名】明細書
【補正対象項目名】００１５
【補正方法】変更
【補正の内容】
【００１５】
図４および図５は、作業機械の一つであるカルチ作業用の作業機械である浅耕装置５０を装備した状態を示す局部的な側面図および背面図であり、図４において、浅耕装置５０は、支持板４１に基板５１Ａが取り付けられる平行リンク状のアーム部５１を備えており、自由端側には支持部材５２が一体化されている。
基板５１Ａは、支持板４１のボルト挿通孔４１Ａに挿通されるボルト４４によって固定されるようになっているが、固定前には、支持板４１に有する位置決めピン４１Ｂとこれに対応する位置決め孔を嵌合させることでボルト４４の挿通位置が位置決めされるとともに、ボルト挿通時での浅耕装置５０の重量の一部を支えることができるようになっている。このため、重量物である浅耕装置５０の取り付け時での浅耕装置５０の重量負担を軽減することができる。
支持部材５２には、油圧モータ５３と、この油圧モータ５３を駆動源として浅耕動作する耕起鍬５４とを備えた浅耕装置５０の主要部が取り付けられている。
【手続補正１３】
【補正対象書類名】明細書
【補正対象項目名】００１６
【補正方法】変更
【補正の内容】
【００１６】
支持部材５２の上部、つまり、アーム部５１の基板５１Ａが取り付けられている位置よりも上方には、浅耕装置５０を上下方向に移動させることができる油圧シリンダなどの伸縮手段５５がその基部に相当するシリンダチューブ側を前述した支持ブラケット４２に取り付けられている。
伸縮手段５５には、支持部材５２に展張方向一端が掛け止めされている展張手段５６の展張方向他端が伸縮手段５５のロッド先端側に掛け止められている。
展張手段５６は、本実施例の場合、ロッド側と支持部材５２との間に展張方向両端が掛け止められているチェーンが用いられ、ロッドの伸長量に関係なく一定した伸長状態を維持するとともに、このチューンが緩むことによって伸長方向と反対方向への変位を許容できるようになっている。なお、この展張手段５６としては、上述したチェーンに代えて、浅耕装置５０の重量によるモーメントと釣り合って浅耕装置５０の下方への移動を阻止できる弾性力を有するコイルスプリングを用いることも可能である。このため、伸縮手段５５の伸縮量、換言すれば、ロッドの伸長量に拘わらず、伸長長さが一定しており、浅耕装置５０の下方への移動を阻止する代わりに伸長状態から収縮状態に変化する状態である浅耕装置５０の上方への移動は許容できるようになっている。図４において符号５７は、耕起鍬５４近傍に配置されたガード部材である。
【手続補正１４】
【補正対象書類名】明細書
【補正対象項目名】００１８
【補正方法】変更
【補正の内容】
【００１８】
展張手段５６は、ロッドの伸長量に関係なく浅耕装置５０の重量を利用して下方伸長状態を維持するので、いわゆる、ロッドと支持部材５２とを支持する支持部材をなし、浅耕装置５０の高さを正確に割り出させることができる。
走行装置３に対して運転操作台２３Ｂの操作ハンドル２３Ｃにより運転走行が開始され、浅耕作業を行う位置に達した時点で操作レバー４，５が操作されると、浅耕装置５０の油圧モータ５３が作動して耕起鍬５４が耕起方向に連続運動する。車体本体２は耕起鍬５４の連続運転を継続しながら走行移動するが、その途中で、浅耕装置５０のガード部材５７が地面の凸部に乗り上げた場合あるいは耕起鍬５４が地中の石などに乗り上げた場合には浅耕装置５０が上方に移動する。すなわち、浅耕装置５０は、支持部材５２が展張手段５６に連結されているので、展張手段５６が伸長方向とは反対方向に変位することにより上方への移動が許容され、車体本体２に対して乗り上げ方向への変位を伝達しないようにすることができる。しかも、耕起鍬５４の乗り上げ時での衝撃は浅耕装置５０が上方に移動することで吸収されるので、耕起鍬５４に車体本体２の重量が加わることがない。これにより、耕起鍬５４の破損が防がれる。
【手続補正１５】
【補正対象書類名】明細書
【補正対象項目名】００２８
【補正方法】変更
【補正の内容】
【００２８】
【発明の効果】
請求項１記載の発明では、伸縮手段の伸縮ストロークにより規定される高さに耕起鍬が位置決めされた場合、展張部材の緩みによりその高さを変化させることができるので、地面の凸部や石に触れた場合でも耕起鍬のみを上方に移動させて車体本体が浮き上がったりあるいは耕起鍬に車体本体の重量が作用することがなく、これにより耕起鍬の破損を未然に防止することができる。
【手続補正１６】
【補正対象書類名】明細書
【補正対象項目名】００２９
【補正方法】削除
【補正の内容】
【手続補正１７】
【補正対象書類名】図面
【補正対象項目名】図２
【補正方法】変更
【補正の内容】
【図２】
2001120002.tif 000001
【手続補正１８】
【補正対象書類名】図面
【補正対象項目名】図３
【補正方法】変更
【補正の内容】
【図３】
2001120002.tif 000002